(57)【特許請求の範囲】
【請求項１】
容器開口部縁部（５）と、少なくとも１つの膜タブ（９，１４，２２）を含む膜（７，１５，２０）とを含む容器であって、前記膜（７）は前記開口部（６，２６）を閉じ、前記開口部縁部（５）に取り付けられ、前記タブ（９，１４，２２）は、少なくとも前記膜（７，１５，２０）に不正防止手段（１０）を介して取り付けられ、前記不正防止手段（１０）は、少なくとも、前記タブ（９，１４）および／または前記膜（２０）の弱められた部分（１２，１８，２４）によって形成される不正防止要素（１１，１３，２３）を含むことにおいて特徴付けられる、容器（１，１６，１９）。
【請求項２】
前記不正防止手段（１０）は、前記タブ（９）におけるかじり（１２）によって形成される少なくとも１つの不正防止要素（１１）を含む、請求項１に記載の容器（１，１６，１９）。
【請求項３】
前記不正防止手段（１０）は、前記膜（２０）におけるかじり（２４）によって形成される少なくとも１つの不正防止要素（２３）を含む、請求項１または２に記載の容器（１，１６，１９）。
【請求項４】
前記不正防止手段（１０）は、前記タブ（９）および前記膜（２０）におけるかじり（１２，２４）によって形成される不正防止要素（１１，２３）を含む、請求項１〜３に記載の容器（１，１６，１９）。
【請求項５】
前記不正防止要素は、欠けた月の形状を有する少なくとも１つの開いたかじり線によって形成される、請求項１〜４に記載の容器（１，１６，１９）。
【請求項６】
前記不正防止要素（１１，２３）は、円形、楕円形、正方形、矩形または三角形の少なくとも１つの閉じたかじり線（１２，２４）によって形成される、請求項１〜５に記載の容器（１，１６，１９）。
【請求項７】
前記不正防止要素（１１）は、弱められたタブ部分（１８）を介してタブ本体（１４）に接続される、請求項１〜６に記載の容器（１，１６，１９）。
【請求項８】
前記弱められたタブ部分（１８）は低減された厚みおよび／または低減された幅を有する、請求項７に記載の容器（１，１６，１９）。
【請求項９】
前記タブ（９，１４，２２）は、前記膜に、シーミングまたは接着によって取り付けられる、請求項１〜８に記載の容器（１，１６，１９）。
【発明の詳細な説明】
【技術分野】
【０００１】
この発明は容器およびそれのための膜に関するものである。
【背景技術】
【０００２】
この発明に従う容器は開口部縁部によって規定される容器開口部を有する。この開口部は開口部縁部に取り付けられる膜によって閉じられる。１つの例は、いわゆる易開封性容器である。
【０００３】
そのような容器の供給者およびユーザは、容器の内容物に、特に、第三者がアクセスしたかどうかを知りたく、そして示されたいであろう。つまり、供給者およびユーザは、内容物にアクセスするためにタブを用いて開口部縁部から膜が取り除かれたかどうかを知りたいであろう。
【０００４】
したがって、膜が再び開口部縁部に付着されて、ユーザが容器を開けた際にその内容物はまだ純粋なものであるという印象を与えるような場合であっても、第三者が容器の内容物にアクセスしたかどうかを示すような手段をそのような容器に設けるニーズが存在する。
【０００５】
しかしながら、供給者の視点からは、そのような改善された容器は、構造における変更を受け、それによってそのような容器の生産およびその充填を妨げるべきではないことが重要である。
【発明の概要】
【発明が解決しようとする課題】
【０００６】
この発明の目的は、上記のようなニーズを満たし、上記のような欠点を回避する容器を提供することである。
【課題を解決するための手段】
【０００７】
したがって、この発明は、容器開口部縁部と、少なくとも１つの膜タブを含む膜とを含む容器であって、膜は開口部を閉じ、開口部縁部に取り付けられ、タブは、少なくとも膜に不正防止手段を介して取り付けられる容器を提供する。
【０００８】
この発明に従う容器のタブは、少なくとも、膜に、不正防止手段を介して取り付けられる。したがって、タブを用いて膜を開口部縁部から解放すると、不正防止手段が破壊または劣化し、それによって、タブが作動され、そしておそらくは膜が開口部縁部から解放されているかまたは解放されたので、したがって、容器の内容物に対してアクセスが可能となった証拠を与える。
【０００９】
この発明に従う容器は食物および非食物のような任意の種類の内容物を含むために用いられてもよい。さらに、容器は、圧力がなくてもよく、または内部の負圧または正圧を有してもよい。
【００１０】
この容器は、プラスチック、金属またはその両方の組合せから形成されてもよい。
膜は、プラスチック、金属またはその組合せからなる従来の膜、たとえば金属とプラスチックとの積層物、たとえばサーモプラストであってもよい。
【００１１】
さらに、開口部縁部は、容器、特に容器本体の縁部によって形成されてもよく、または、開口部縁部を設けられる別個の容器リングの形式を有してもよい。明らかに、このリングは、プラスチックまたは金属またはそれらの両方の組合せからなってもよい。
【００１２】
第１の実施例に従うと、不正防止手段は、タブおよび／または膜の弱められた部分によって形成される少なくとも１つの不正防止要素を含む。
【００１３】
弱められた不正防止要素を用いることにより、タブを介して容器を把持または開封することは、実質的に、不正防止手段の存在によっては影響されない。さらに、タブの他の部分を膜に取り付けること、およびタブを作動させたときに破壊されるかまたは劣化するのは弱められた不正防止部分であることが可能であるかもしれない。
【００１４】
所望されるなら、不正防止手段は、タブにおけるかじりにより形成される少なくとも１つの不正防止要素を含む。
【００１５】
不正防止要素はタブにおけるかじりによって形成され、したがって、タブを作動させると、この不正防止要素はタブから切れ目をつけられ、膜の上に見える状態で残る。所望されるならば、不正防止手段は、膜におけるかじりによって形成される少なくとも１つの不正防止要素を含む。したがって、タブを作動させると、不正防止要素は、膜から切れ目をつけられ、タブに付着したままとなる。これにより、膜およびタブに、不正防止手段の破壊または劣化が可視であるようにする。最後に、不正防止手段は、タブおよび膜におけるかじりによって形成される少なくとも１つの不正防止要素を含む。したがって、不正防止要素は、タブおよび膜の双方にあってもよく、または互いに対して重ねられてもよい。この点において、不正防止手段が膜に設けられ、タブによって覆われると、ユーザおよび第三者は、タブを作動させるまで、不正防止手段の存在がわからなかったことになることが注目される。これは驚くべき効果を与えるであろう。
【００１６】
タブおよび／または膜のかじりは、タブの作動後に不正防止手段の劣化または破壊がユーザにとって可視であるような態様であればいかなる態様のものであってもよい。一実施例に従うと、このかじりは、タブの側縁部または膜の側縁部に設けられるような三角形の部分または欠けた月の形状を有する開いたかじり線を辿る。しかしながら、好ましくは、閉じたかじり線内に形成される不正防止要素である。したがって、タブの作動および不正防止手段の破壊または劣化後、円形、楕円形、正方形および／または矩形などの形状が可視となる。明らかに、開いたかじり線および閉じたかじり線により規定される不正防止要素の組合せが実行可能である。別の実施例に従うと、不正防止要素は、弱められたタブ部分を介してタブ本体に接続される。この実施例では、タブは、弱められたタブ部分を介してタブに接続される付加的なタブ部分を設けられる。したがって、タブを作動させると、この弱められたタブ部分は破壊または劣化されて、不正防止要素を膜上に残す。不正防止要素と残りのタブ本体との間の接続は、その後は、実行可能ではなく、および／または少なくとも目立たない。この弱められたタブ部分は、不正防止要素とタブ本体との間における接続の、低減された厚みおよび／または低減された幅によって形成されてもよい。
【００１７】
先に示したように、少なくとも不正防止手段を介するタブは、シーミング、接着などによって膜に取り付けられてもよい。タブが、膜に対して、不正防止手段によってのみならず、他のタブ部分によっても取り付けられる場合、不正防止手段の膜に対する取り付けは、タブの他の部分の取り付けよりも強力なものである。
【００１８】
不正防止手段は、膜がタブを用いて取り除かれ得、その一方で、不正防止手段を破壊および／または劣化させるのであれば、膜および／またはタブのどの位置に位置することも考えられ得る。たとえば、中央部分または膜に近いタブ部分にあってもよい。
【００１９】
この発明の別の局面は、ここにおいて先に規定された膜であって、不正防止手段を設けられ、容器の開口部縁部に取り付けられてもよい膜に関する。
【００２０】
この発明の容器および膜の、言及された特徴および他の特徴は、さらにいくつかの実施例を参照して記載されるが、それらの実施例は、例示目的のためのみであって、この発明をどのようにも限定するようには意図されないものである。したがって、以下の添付の図面を参照する。
【図面の簡単な説明】
【００２１】
【図１Ａ】不正防止手段を設けられる、この発明に従う容器の図である。
【図１Ｂ】不正防止手段を設けられる、この発明に従う容器の図である。
【図１Ｃ】図１Ａの線Ｉ−Ｉに沿った断面図である。
【図２Ａ】図１Ａからの詳細ＩＩに従う図をより大きな尺度で示す。
【図２Ｂ】図１Ａからの詳細ＩＩに従う図をより大きな尺度で示す。
【図３】図２Ｂの詳細ＩＩＩに従う代替的不正防止手段である。
【発明を実施するための形態】
【００２２】
図１Ａは、容器本体２と、カール４を介して容器本体２上にカールされるリング３とを設けられる、この発明に従う容器１を開示する。
【００２３】
リング３は、容器１の開口部６を規定する容器開口部縁部５を含む。この開口部６は、水平部分８で開口部縁部５に封止される膜７により閉じられる。
【００２４】
膜７は、膜７上に折り重ねられるタブ９を設けられる。タブ９を把持することにより、膜７は開口部縁部から除去され、それによって、容器１の内容物がアクセス可能となってもよい。
【００２５】
タブ９は不正防止手段１０を設けられる。これらの不正防止手段は、タブ９に形成されるかじり線１２によって規定され形成される円形の不正防止要素１１によって形成される。
【００２６】
図１Ｂに示されるように、タブ９を把持して、（図示されるように）立つ位置に移動させると、この不正防止要素１１は、膜７の外側表面上に可視の状態で残り、なぜならば、この不正防止要素１１を介してタブ９は膜７に取り付けられていたからである。
【００２７】
明らかに、タブ９の他の部分も、不正防止要素１１の膜７に対するより強力な取り付けに比べてより小さな取り付け力で膜７に取り付けられていたかもしれない。
【００２８】
明らかに、図１Ｂに示されるように、タブ９の穴１２および膜７上の不正防止要素１１は、両方とも、膜を開口部縁部から除去しようとしてタブ９を作動させた証拠を与える。
【００２９】
図２Ａおよび図２Ｂは、この発明に従った、膜１５上に折り重ねられるタブ１４の延長部１３の形式を有する不正防止要素１１を示す。延長部１３は、タブ１４と同じ材料から形成されてもよく、同じ厚みを有してもよく、接着またはシーミングによって膜１５に取り付けられる。容器１６を開封するためには、縁部１７を把持して、タブ１４を図２Ｂに示すように直立位置に持ってきてもよい。この結果、不正防止要素１３がタブ１４に接続されていた、弱められたタブ部分１８の破壊がもたらされる。
【００３０】
図２Ｂに示されるように、不正防止要素１３および弱められたタブ部分１８の部分およびタブ１４上の残りの部分の存在は、供給者および／または消費者に対して、容器１６を開封するためにタブ１４が用いられた証拠を与える。
【００３１】
最後に、図３は、この発明に従う別の容器１９であって、容器１９の本体にカールされる容器リング２１を介して容器の開口部を閉じる膜２０を設けられた容器１９を示す。膜２０はタブ２２を設けられる。不正防止手段は、膜２０に組込まれ、円形の不正防止要素２３の形式を有する。この不正防止要素２３は、膜２０におけるかじり線２４によって形成され規定される。図３は、タブ２２が直立位置にあるときを示し、不正防止要素が膜２０から引き剥がされて、膜２０に面する表面２５の上に依然として存在する状態を示す。この表面２５に対し、不正防止手段はタブに取り付けられ、タブを膜２０に接続していた。
【００３２】
再び、図３を参照して、不正防止手段が破壊されて、開口部２６が膜２０に残り、不正防止用の円盤状に形成された要素２３がタブ２２上に残ることは、両方とも、容器の内容物にアクセスするためにタブを作動させたことの証拠である。
【図１Ａ】
0005430578.tif 000002
【図１Ｂ】
0005430578.tif 000003
【図１Ｃ】
0005430578.tif 000004
【図２Ａ】
0005430578.tif 000005
【図２Ｂ】
0005430578.tif 000006
【図３】
0005430578.tif 000007